【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
複数の部品を含む原稿を出力することが可能な情報処理装置であって、
前記部品内に出力する文字データを取得する文字データ取得手段と、
前記文字データ取得手段により取得された文字データの文字数を取得する文字数取得手段と、
前記部品内に出力する文字データの文字数に対応付けて、文字データを縮小して出力する第１の縮小率を決定する第１縮小率決定手段と、
前記第１縮小率決定手段から、前記文字数取得手段により取得された文字数に対応付けられた第１の縮小率を取得する第１縮小率取得手段と、
前記文字データに含まれる文字が、第１の縮小率を適用しない所定の文字か否かを判定する判定手段と、
前記判定手段により、第１の縮小率を適用する文字であると判定した場合、前記第１縮小率取得手段により取得された第１の縮小率を用いて文字幅を縮小して当該文字を前記部品内に出力し、第１の縮小率を適用しない所定の文字であると判定した場合、第１の縮小率を用いた時よりも大きくなるように当該所定の文字を前記部品内に出力する文字データ出力手段と
を備えることを特徴とする情報処理装置。
【請求項２】
前記縮小とは文字を長体化することであり、
前記文字データ出力手段は、
前記判定手段により、第１の縮小率を適用しない文字であると判定した場合、第１の縮小率を用いて長体化した時よりも文字幅が大きくなるように当該所定の文字を前記部品内に出力すること
を特徴とする請求項１に記載の情報処理装置。
【請求項３】
前記文字データ出力手段は、
前記判定手段により、第１の縮小率を適用しない文字であると判定した場合、文字幅が所定の値より小さい文字が縮小され過ぎないように、第１の縮小率に比べて緩和した第２の縮小率を用いて、文字幅を縮小して当該文字を出力すること
を特徴とする請求項１または２に記載の情報処理装置。
【請求項４】
文字幅に対応付けて、前記第２の縮小率を管理する第２縮小率管理手段を更に備え、
前記文字データ出力手段は、
前記判定手段により、第１の縮小率を適用しない文字であると判定した場合、前記第２縮小率管理手段により管理されている、当該文字の文字幅に対応する第２の縮小率を用いて、文字幅を縮小して当該文字を出力すること
を特徴とする請求項３に記載の情報処理装置。
【請求項５】
前記判定手段は、
前記文字データに含まれる文字の文字幅が所定の値より大きい場合、第１の縮小率を適用する文字であると判定し、所定の値より小さい場合、第１の縮小率を適用しない所定の文字であると判定すること
を特徴とする請求項１乃至４のいずれか１項に記載の情報処理装置。
【請求項６】
前記部品の幅を取得する部品幅取得手段を更に備え、
前記第１縮小率取得手段は、前記部品幅取得手段により取得した部品の幅と、当該部品に設定されたフォントサイズで描いた前記文字データの幅とに従って、前記第１の縮小率を決定すること
を特徴とする請求項１乃至５のいずれか１項に記載の情報処理装置。
【請求項７】
文字幅の下限値を管理する文字幅下限値管理手段を更に備え、
前記文字データ出力手段は、
文字幅が前記文字幅下限値管理手段により管理されている下限値よりも小さくならないように文字を出力すること
を特徴とする請求項１乃至６のいずれか１項に記載の情報処理装置。
【請求項８】
複数の部品を含む原稿を出力することが可能な情報処理装置であって、
前記部品内に出力する文字データを取得する文字データ取得手段と、
前記文字データ取得手段により取得された文字データの文字数を取得する文字数取得手段と、
前記部品内に出力する文字データの文字数に対応付けて、文字データを縮小して出力する第１の縮小率を決定する第１縮小率決定手段と、
前記第１縮小率決定手段から、前記文字数取得手段により取得された文字数に対応付けられた第１の縮小率を取得する第１縮小率取得手段と、
前記文字データに含まれる文字が、第１の縮小率を適用しない所定の文字か否かを判定する判定手段と、
前記判定手段により、第１の縮小率を適用する文字であると判定した場合、前記第１縮小率取得手段により取得された第１の縮小率を用いて文字幅を縮小して当該文字を前記部品内に出力し、第１の縮小率を適用しない所定の文字であると判定した場合、前記第１の縮小率を適用する文字とは異なる形式を用いて前記部品内に出力する文字データ出力手段と
を備えることを特徴とする情報処理装置。
【請求項９】
前記異なる形式とは、
太字で出力する、他の文字に置換して出力する、および第１の縮小率を適用する文字とは異なるフォントを用いて出力する、のうち少なくとも１つであること
を特徴とする請求項８に記載の情報処理装置。
【請求項１０】
前記第１の縮小率を適用しない所定の文字とは、小数点、ピリオド、句読点、i(英小文字アイ)、l(英小文字エル)、数字の１、！（エクスクラメーションマーク）のうち少なくとも１つを含むこと
を特徴とする請求項１乃至９のいずれか１項に記載の情報処理装置。
【請求項１１】
複数の部品を含む原稿を出力することが可能な情報処理装置であって、
前記部品内に出力する文字データを取得する文字データ取得手段と、
前記文字データ取得手段により取得された文字データの文字数を取得する文字数取得手段と、
前記部品内に出力する文字データの文字数に対応付けて、文字データを縮小して出力する第１の縮小サイズを決定する第１縮小サイズ決定手段と、
前記第１縮小サイズ決定手段から、前記文字数取得手段により取得された文字数に対応付けられた第１の縮小サイズを取得する第１縮小サイズ取得手段と、
前記文字データに含まれる文字が、第１の縮小サイズを適用しない所定の文字か否かを判定する判定手段と、
前記判定手段により、第１の縮小サイズを適用する文字であると判定した場合、前記第１縮小サイズ取得手段により取得された第１の縮小サイズに従って文字幅を縮小して当該文字を前記部品内に出力し、第１の縮小サイズを適用しない所定の文字であると判定した場合、第１の縮小サイズよりも大きくなるように当該所定の文字を前記部品内に出力する文字データ出力手段と
を備えることを特徴とする情報処理装置。
【請求項１２】
前記第１縮小サイズ決定手段は、
前記文字数取得手段により取得された文字数に対応付けられた縮小率を適用することにより、文字データを縮小して出力するサイズを決定すること
を特徴とする請求項１１に記載の情報処理装置。
【請求項１３】
複数の部品を含む原稿を出力することが可能な情報処理装置における処理方法であって、
前記情報処理装置が、
前記部品内に出力する文字データを取得する文字データ取得ステップと、
前記文字データ取得ステップにより取得された文字データの文字数を取得する文字数取得ステップと、
前記部品内に出力する文字データの文字数に対応付けて、文字データを縮小して出力する第１の縮小率を決定する第１縮小率決定ステップと、
前記第１縮小率決定ステップから、前記文字数取得ステップにより取得された文字数に対応付けられた第１の縮小率を取得する第１縮小率取得ステップと、
前記文字データに含まれる文字が、第１の縮小率を適用しない所定の文字か否かを判定する判定ステップと、
前記判定ステップにより、第１の縮小率を適用する文字であると判定した場合、前記第１縮小率取得ステップにより取得された第１の縮小率を用いて文字幅を縮小して当該文字を前記部品内に出力し、第１の縮小率を適用しない所定の文字であると判定した場合、第１の縮小率を用いた時よりも大きくなるように当該所定の文字を前記部品内に出力する文字データ出力ステップと
を実行することを特徴とする処理方法。
【請求項１４】
複数の部品を含む原稿を出力することが可能な情報処理装置における処理方法であって、
前記情報処理装置が、
前記部品内に出力する文字データを取得する文字データ取得ステップと、
前記文字データ取得ステップにより取得された文字データの文字数を取得する文字数取得ステップと、
前記部品内に出力する文字データの文字数に対応付けて、文字データを縮小して出力する第１の縮小率を決定する第１縮小率決定ステップと、
前記第１縮小率決定ステップから、前記文字数取得ステップにより取得された文字数に対応付けられた第１の縮小率を取得する第１縮小率取得ステップと、
前記文字データに含まれる文字が、第１の縮小率を適用しない所定の文字か否かを判定する判定ステップと、
前記判定ステップにより、第１の縮小率を適用する文字であると判定した場合、前記第１縮小率取得ステップにより取得された第１の縮小率を用いて文字幅を縮小して当該文字を前記部品内に出力し、第１の縮小率を適用しない所定の文字であると判定した場合、前記第１の縮小率を適用する文字とは異なる形式を用いて前記部品内に出力する文字データ出力ステップと
を実行することを特徴とする処理方法。
【請求項１５】
複数の部品を含む原稿を出力することが可能な情報処理装置における処理方法であって、
前記情報処理装置が、
前記部品内に出力する文字データを取得する文字データ取得ステップと、
前記文字データ取得ステップにより取得された文字データの文字数を取得する文字数取得ステップと、
前記部品内に出力する文字データの文字数に対応付けて、文字データを縮小して出力する第１の縮小サイズを決定する第１縮小サイズ決定ステップと、
前記第１縮小サイズ決定ステップから、前記文字数取得ステップにより取得された文字数に対応付けられた第１の縮小サイズを取得する第１縮小サイズ取得ステップと、
前記文字データに含まれる文字が、第１の縮小サイズを適用しない所定の文字か否かを判定する判定ステップと、
前記判定ステップにより、第１の縮小サイズを適用する文字であると判定した場合、前記第１縮小サイズ取得ステップにより取得された第１の縮小サイズに従って文字幅を縮小して当該文字を前記部品内に出力し、第１の縮小サイズを適用しない所定の文字であると判定した場合、第１の縮小サイズよりも大きくなるように当該所定の文字を前記部品内に出力する文字データ出力ステップと
を実行することを特徴とする処理方法。
【請求項１６】
複数の部品を含む原稿を出力することが可能な情報処理装置で実行可能なプログラムであって、
前記情報処理装置を、
前記部品内に出力する文字データを取得する文字データ取得手段と、
前記文字データ取得手段により取得された文字データの文字数を取得する文字数取得手段と、
前記部品内に出力する文字データの文字数に対応付けて、文字データを縮小して出力する第１の縮小率を決定する第１縮小率決定手段と、
前記第１縮小率決定手段から、前記文字数取得手段により取得された文字数に対応付けられた第１の縮小率を取得する第１縮小率取得手段と、
前記文字データに含まれる文字が、第１の縮小率を適用しない所定の文字か否かを判定する判定手段と、
前記判定手段により、第１の縮小率を適用する文字であると判定した場合、前記第１縮小率取得手段により取得された第１の縮小率を用いて文字幅を縮小して当該文字を前記部品内に出力し、第１の縮小率を適用しない所定の文字であると判定した場合、第１の縮小率を用いた時よりも大きくなるように当該所定の文字を前記部品内に出力する文字データ出力手段
として機能させることを特徴とするプログラム。
【請求項１７】
複数の部品を含む原稿を出力することが可能な情報処理装置で実行可能なプログラムであって、
前記情報処理装置を、
前記部品内に出力する文字データを取得する文字データ取得手段と、
前記文字データ取得手段により取得された文字データの文字数を取得する文字数取得手段と、
前記部品内に出力する文字データの文字数に対応付けて、文字データを縮小して出力する第１の縮小率を決定する第１縮小率決定手段と、
前記第１縮小率決定手段から、前記文字数取得手段により取得された文字数に対応付けられた第１の縮小率を取得する第１縮小率取得手段と、
前記文字データに含まれる文字が、第１の縮小率を適用しない所定の文字か否かを判定する判定手段と、
前記判定手段により、第１の縮小率を適用する文字であると判定した場合、前記第１縮小率取得手段により取得された第１の縮小率を用いて文字幅を縮小して当該文字を前記部品内に出力し、第１の縮小率を適用しない所定の文字であると判定した場合、前記第１の縮小率を適用する文字とは異なる形式を用いて前記部品内に出力する文字データ出力手段
として機能させることを特徴とするプログラム。
【請求項１８】
複数の部品を含む原稿を出力することが可能な情報処理装置で実行可能なプログラムであって、
前記情報処理装置を、
前記部品内に出力する文字データを取得する文字データ取得手段と、
前記文字データ取得手段により取得された文字データの文字数を取得する文字数取得手段と、
前記部品内に出力する文字データの文字数に対応付けて、文字データを縮小して出力する第１の縮小サイズを決定する第１縮小サイズ決定手段と、
前記第１縮小サイズ決定手段から、前記文字数取得手段により取得された文字数に対応付けられた第１の縮小サイズを取得する第１縮小サイズ取得手段と、
前記文字データに含まれる文字が、第１の縮小サイズを適用しない所定の文字か否かを判定する判定手段と、
前記判定手段により、第１の縮小サイズを適用する文字であると判定した場合、前記第１縮小サイズ取得手段により取得された第１の縮小サイズに従って文字幅を縮小して当該文字を前記部品内に出力し、第１の縮小サイズを適用しない所定の文字であると判定した場合、第１の縮小サイズよりも大きくなるように当該所定の文字を前記部品内に出力する文字データ出力手段
として機能させることを特徴とするプログラム。
【手続補正２】
【補正対象書類名】明細書
【補正対象項目名】００１０
【補正方法】変更
【補正の内容】
【００１０】
複数の部品を含む原稿を出力することが可能な情報処理装置であって、前記部品内に出力する文字データを取得する文字データ取得手段と、前記文字データ取得手段により取得された文字データの文字数を取得する文字数取得手段と、前記部品内に出力する文字データの文字数に対応付けて、文字データを縮小して出力する第１の縮小率を決定する第１縮小率決定手段と、前記第１縮小率決定手段から、前記文字数取得手段により取得された文字数に対応付けられた第１の縮小率を取得する第１縮小率取得手段と、前記文字データに含まれる文字が、第１の縮小率を適用しない所定の文字か否かを判定する判定手段と、前記判定手段により、第１の縮小率を適用する文字であると判定した場合、前記第１縮小率取得手段により取得された第１の縮小率を用いて文字幅を縮小して当該文字を前記部品内に出力し、第１の縮小率を適用しない所定の文字であると判定した場合、第１の縮小率を用いた時よりも大きくなるように当該所定の文字を前記部品内に出力する文字データ出力手段とを備えることを特徴とする情報処理装置。